(57)【要約】【課題】消費電力低減技術を用いる端末装置へ発信するユーザの満足度を向上させること。【解決手段】ネットワークに属するネットワークノードは、端末装置が信号を受信しない状態となる設定がその端末装置とネットワークとの間で行われているかを少なくとも示す情報を取得し、その端末装置が信号を受信しない状態にある間に他の装置からのその端末装置に対する呼び出しがあったことに基づいて、その状態に応じた通知を他の装置へ送信する。【選択図】  図４
2020036114.tif 000002
【特許請求の範囲】
【請求項１】
ネットワークに属するネットワークノードであって、
端末装置が信号を受信しない状態となる設定が前記端末装置と前記ネットワークとの間で行われているかを少なくとも示す情報を取得する取得手段と、
前記端末装置が前記状態にある間に他の装置からの前記端末装置に対する呼び出しがあったことに基づいて、当該状態に関する通知を前記他の装置へ送信する送信手段と、
を有することを特徴とするネットワークノード。
【請求項２】
前記情報は、前記状態が終了するタイミングに関する追加情報を含み、
前記送信手段は、前記通知に加えて、前記追加情報を前記他の装置へ送信する、
ことを特徴とする請求項１に記載のネットワークノード。
【請求項３】
前記情報は、前記端末装置に対応する代替用の連絡先に関する追加情報を含み、
前記送信手段は、前記通知に加えて、前記追加情報を前記他の装置へ送信する、
ことを特徴とする請求項１又は２に記載のネットワークノード。
【請求項４】
前記追加情報は、前記他の装置が所定の条件を満たす場合に送信され、前記他の装置が所定の条件を満たさない場合には送信されない、
ことを特徴とする請求項２又は３に記載のネットワークノード。
【請求項５】
前記通知は、前記状態を示す音声と、前記状態を示す画面表示と、前記状態に対応する音楽との少なくともいずれかに関する情報を含む、
ことを特徴とする請求項１から４のいずれか１項に記載のネットワークノード。
【請求項６】
前記他の装置が前記端末装置に対する呼び出しを定期的に実行している場合、前記通知は当該定期的な呼び出しの停止要求を含む、
ことを特徴とする請求項１から５のいずれか１項に記載のネットワークノード。
【請求項７】
前記通知は、前記端末装置に対応する代替用の連絡先にリダイレクトすることを示す情報を含む、
ことを特徴とする請求項１に記載のネットワークノード。
【請求項８】
前記状態は、前記端末装置がｅｘｔｅｎｄｅｄ  Ｄｉｓｃｏｎｔｉｎｕｏｕｓ  Ｒｅｃｅｐｔｉｏｎを実行している状態と、前記端末装置がＰｏｗｅｒ  Ｓａｖｉｎｇ  Ｍｏｄｅの状態にあることとの少なくともいずれかを含む、
ことを特徴とする請求項１から７のいずれか１項に記載のネットワークノード。
【請求項９】
前記情報は前記端末装置の前記状態が終了するタイミングの情報を含み、
前記送信手段は、当該タイミングまでの期間の長さが所定値以下である場合には、前記通知を前記他の装置へ送信しない、
ことを特徴とする請求項１から８のいずれか１項に記載のネットワークノード。
【請求項１０】
ネットワークに属するネットワークノードの制御方法であって、
取得手段が、端末装置が信号を受信しない状態となる設定が前記端末装置と前記ネットワークとの間で行われているかを少なくとも示す情報を取得する取得工程と、
送信手段が、前記端末装置が前記状態にある間に他の装置からの前記端末装置に対する呼び出しがあったことに基づいて、当該状態に応じた通知を前記他の装置へ送信する送信工程と、
を有することを特徴とする制御方法。
【請求項１１】
ネットワークに属するネットワークノードに備えられたコンピュータに、
端末装置が信号を受信しない状態となる設定が前記端末装置と前記ネットワークとの間で行われているかを少なくとも示す情報を取得させ、
前記端末装置が前記状態にある間に他の装置からの前記端末装置に対する呼び出しがあったことに基づいて、当該状態に応じた通知を前記他の装置へ送信させる、
ためのプログラム。
【発明の詳細な説明】
【技術分野】
【０００１】
本発明は、省電力動作を実行可能な端末装置に対する呼び出しの取り扱い方法に関する。
【背景技術】
【０００２】
第３世代パートナーシッププロジェクト（３ＧＰＰ）では、端末装置の消費電力を低減させる技術が検討されている。そのような技術として、ロングタームエボリューション（ＬＴＥ）規格における、Ｄｉｓｃｏｎｔｉｎｕｏｕｓ  Ｒｅｃｅｐｔｉｏｎ（ＤＲＸ）が存在する。ＤＲＸを実行する端末装置は間欠的に信号受信を行い、これにより、信号を受信しない期間において受信器がオフとされることによる消費電力低減効果を得ることができる。
【０００３】
近年のさらなる消費電力の低減の要求に対して、３ＧＰＰでは、ＤＲＸの間欠受信間隔をさらに延長することを可能とするｅＤＲＸ（ｅｘｔｅｎｄｅｄ  ＤＲＸ）を規定している。なお、以下では、特に言及のない限りは、アイドル状態（ＲＲＣ  Ｉｄｌｅ状態）におけるｅＤＲＸのことを指して「ｅＤＲＸ」と呼ぶ。ｅＤＲＸにより、端末装置が信号を受信せずに受信器をオフとする期間が増えるため、端末装置の消費電力をさらに低減することができる（非特許文献１参照）。
【０００４】
また、端末装置の消費電力を低減するための技術として、Ｐｏｗｅｒ  Ｓａｖｉｎｇ  Ｍｏｄｅ（ＰＳＭ）が存在する。ＰＳＭでは、端末装置が、ネットワーク上への登録を継続しながら一定時間疑似的に電源断と同じ状態に遷移する。ＰＳＭ状態の端末装置は間欠受信をも行わないため、ＰＳＭによって、端末装置の消費電力を大幅に低減することができる。
【先行技術文献】
【非特許文献】
【０００５】
【非特許文献１】３ＧＰＰ  ＴＳ３６．３００  Ｖ１３．４．０、２０１６年６月
【発明の概要】
【発明が解決しようとする課題】
【０００６】
上述のように、端末装置が信号を受信しない期間が増えると、それによる不都合が生じる場合がある。例えば、その端末装置に対して他の端末装置が音声発信する場合、従来のＬＴＥの端末装置であれば最大で１０秒程度の間隔で間欠受信を行うため、その端末装置がページング信号を受信するまで最大で１０秒程度待てばよいことになるが、非特許文献１で規定されるカテゴリーＭの端末装置は、アイドル状態において、場合によっては数十分間、ページング信号を受信しない場合がある。また、ＰＳＭ状態の端末装置は、場合によっては数日間もの間、ページング信号を受信しないことが想定されうる。このため、発信側のユーザに、発信先の端末装置が応答しないことや、いつ発信先の端末装置が応答可能状態となるのかが分からないことによる不満と不安を生じさせうる。
【０００７】
本発明は、かかる課題に鑑みなされたものであり、消費電力低減技術を用いる端末装置へ発信するユーザの満足度を向上させる技術を提供する。
【課題を解決するための手段】
【０００８】
本発明の一態様によるネットワークノードは、ネットワークに属するネットワークノードであって、端末装置が信号を受信しない状態となる設定が前記端末装置と前記ネットワークとの間で行われているかを少なくとも示す情報を取得する取得手段と、前記端末装置が前記状態にある間に他の装置からの前記端末装置に対する呼び出しがあったことに基づいて、当該状態に関する通知を前記他の装置へ送信する送信手段と、を有する。
【発明の効果】
【０００９】
本発明によれば、消費電力低減技術を用いる端末装置へ発信するユーザの満足度を向上させることができる。
【図面の簡単な説明】
【００１０】
【図１】無線通信システムの構成例を示す図である。
【図２】ネットワークノードのハードウェア構成例を示す図である。
【図３】ネットワークノードの機能構成例を示す図である。
【図４】ネットワークノードが実行する処理の流れの例を示す図である。
【発明を実施するための形態】
【００１１】
以下、本発明の実施の形態について図面を参照しながら説明する。
【００１２】
（システム構成）
本実施形態に係る無線通信システムの構成例を図１に示す。本無線通信システムは、一例において、基地局装置１０１、ネットワークノード１０２、着呼側端末装置１０３、及び発呼側端末装置１０４を含んで構成されるセルラ通信システムである。なお、図１では、説明を簡単にするために、わずかな数の端末装置が図解されているが、一般的なセルラ通信システムと同様に、多数の端末装置が存在しうる。本実施形態に係る発呼側端末装置１０４は、基地局装置１０１を介して着呼側端末装置１０３と無線通信を行う。なお、図１では、着呼側端末装置１０３と発呼側端末装置１０４とが同じ基地局装置１０１に接続可能な位置に存在するように図解されているが、着呼側端末装置１０３と発呼側端末装置１０４とが、それぞれ異なる基地局装置１０１によって形成されるセルの範囲内に存在しうる。この場合、着呼側端末装置１０３と発呼側端末装置１０４との間の通信は、一方の基地局装置１０１から他方の基地局装置１０１へ、コアネットワークを介して信号が転送されることによって行われる。
【００１３】
なお、着呼側端末装置１０３は、消費電力を低減するために、ＤＲＸやｅＤＲＸや、ＰＳＭを使用することができ、信号を受信しない状態となりうる。なお、このような省電力動作の設定は、端末装置によって独自に行われるものではなく、端末装置とネットワークとの間で行われる。このため、ネットワークは、端末装置が省電力動作を行うことや、その端末装置が次に信号の受信等を行うタイミング（例えばＤＲＸ又はｅＤＲＸにおける次の間欠受信タイミングや、ＰＳＭにおける次の起動タイミング）を特定することができる。基地局装置１０１は、例えば端末装置の次の信号受信タイミングにおいて、その端末装置宛のデータが存在することを示す情報を通知することができる。この場合、端末装置は、自装置宛のデータを受信するために、信号を受信しない状態を解除することができる。本実施形態では、ネットワークノード１０２が、これらの省電力動作を実行中の着呼側端末装置１０３を特定する情報と、その着呼側端末装置１０３の信号を受信しない状態が終了するタイミングの情報とを管理する。ここで、ネットワークノード１０２は、自装置の管理下にある１つ以上の基地局装置１０１の配下の端末装置（例えば省電力動作に入る前にその省電力動作の設定のために基地局装置１０１と通信を行った端末装置）についての情報を管理しうる。なお、図１では、ネットワークノード１０２と基地局装置１０１とが別の装置である場合の例を図解しているが、これらは同じ装置に実装されてもよい。すなわち、基地局装置１０１がネットワークノード１０２を内包し、例えば自装置の配下の端末装置が省電力動作を行う場合に、その端末装置を特定する情報と、信号を受信しない状態が終了するタイミングの情報とを保持するようにしうる。
【００１４】
ネットワークノード１０２は、発呼側端末装置１０４による発呼を監視する。そして、ネットワークノード１０２は、上述のようにして管理している情報に基づいて、その発呼で呼び出される着呼側端末装置１０３が、省電力動作によって信号を受信しない状態であるか否かを判定する。ネットワークノード１０２は、着呼側端末装置１０３が信号を受信しない状態である場合に、その状態に関する通知を発呼側端末装置１０４へ送信する。例えば、ネットワークノード１０２は、着呼側端末装置１０３が省電力動作によって信号を受信しない状態であり、呼び出すことができないことを発呼側端末装置１０４へ通知する。例えば、ネットワークノード１０２は、着呼側端末装置１０３が省電力動作中であること（例えばｅＤＲＸを実行中であることやＰＳＭに移行中であること）を示す音声データや画像データを発呼側端末装置１０４へ送信する。発呼側端末装置１０４は、例えば、受信した音声データを再生することにより、又は受信した画像データを自装置が有するディスプレイに画面表示することによって、着呼側端末装置１０３が省電力動作中であり、信号を受信しない状態であることをユーザに通知しうる。また、ネットワークノード１０２は、着呼側端末装置１０３が省電力動作によって信号を受信しない状態であるために呼び出すことができないことに対応する音楽を発呼側端末装置１０４に対して出力しうる。例えば、ネットワークノード１０２は、発呼側端末装置１０４における呼び出し音を、通常時の呼び出し音と異なる所定の音楽にすることにより、着呼側端末装置１０３が省電力動作によって信号を受信しない状態であることを発呼側端末装置１０４のユーザに通知しうる。
【００１５】
これにより、発呼側端末装置１０４のユーザは、着呼側端末装置１０３が省電力動作によって信号を受信しない状態であることによって呼び出すことができない状態であることを認識することができ、理由の提示なく呼び出しができないことが通知される場合と比して、ユーザの不満や不安を軽減することができる。
【００１６】
なお、ネットワークノード１０２は、着呼側端末装置１０３が信号を受信しない状態が終了するタイミング（例えばｅＤＲＸにおける次回の間欠受信タイミングやＰＳＭにおける次回起動タイミング）までの期間の長さに応じて、上述の通知をしなくてもよい。ネットワークノード１０２は、例えば、その期間の長さが所定値以下（例えば１０秒以下）である場合には、着呼側端末装置１０３が省電力動作によって信号を受信しない状態であることの通知を行わなくてもよい。一定期間だけ待っていれば、着呼側端末装置１０３が信号を受信する期間となり、着呼側端末装置１０３を呼び出すことができるからである。これによれば、例えば上述の所定値を適切に設定することにより、発呼側端末装置１０４が発呼を継続することとなり、一度発呼を終了してその後に再度発呼するより、短時間に着呼側端末装置１０３を呼び出すことができる。
【００１７】
なお、ネットワークノード１０２は、例えば、着呼側端末装置１０３が信号を受信しない状態が終了するタイミング（例えばｅＤＲＸにおける次回の間欠受信タイミングやＰＳＭにおける次回起動タイミング）に関する追加情報を、上述の通知に加えて（通知に含めて）発呼側端末装置１０４へ送信しうる。発呼側端末装置１０４のユーザは、タイミングに関する追加情報により、着呼側端末装置１０３に対して発信すべきタイミングを認識し、適切なタイミングで発呼側端末装置１０４によって着呼側端末装置１０３に発呼することができる。また、発呼側端末装置１０４のユーザは、タイミングに関する追加情報に基づいて、そのタイミングまで発呼状態を維持するか、一度発呼を終了して発呼をやり直すかを決定することができる。また、追加情報で示されるタイミングまでの期間が長い場合、不必要に発呼状態を維持しないことにより、発呼側端末装置１０４の消費電力やネットワーク負荷が増大することを防ぐことができる。
【００１８】
また、ネットワークノード１０２は、例えば、着呼側端末装置１０３に対応する代替用の連絡先に関する追加情報を、上述の通知に加えて（通知に含めて）発呼側端末装置１０４に通知してもよい。例えば、着呼側端末装置１０３のユーザは、事前に別の端末装置の電話番号等の連絡先情報を、着呼側端末装置１０３と関連付けて、ネットワークノード１０２や他のノードに登録しておく。そして、ネットワークノード１０２は、着呼側端末装置１０３が信号を受信しない状態の間に発呼側端末装置１０４からの着信があった場合に、その着呼側端末装置１０３と関連付けて登録された連絡先情報を抽出して、発呼側端末装置１０４に通知しうる。これによれば、発呼側端末装置１０４のユーザは、その連絡先情報を、着呼側端末装置１０３の代替用の連絡先として認識することができ、その代替用の連絡先に発呼することにより、所望の相手と通信することができる。また、発呼側端末装置１０４のユーザは、この代替用の連絡先の情報を取得することにより、着呼側端末装置１０３へ不必要に発呼するのを終了することができ、発呼側端末装置１０４の消費電力やネットワーク負荷が増大することを防ぐことができる。
【００１９】
なお、一例において、上述の各追加情報は、所定の条件を満たす発呼側端末装置１０４に対しては通知され、所定の条件を満たさない発呼側端末装置１０４には通知されないようにしてもよい。所定の条件は、例えば発呼側端末装置１０４のユーザが追加情報を取得可能な所定の契約をしていることや、例えば発呼側端末装置１０４が着呼側端末装置１０３によって追加情報の提供が許可されていることでありうる。その他の条件が用いられてもよい。
【００２０】
なお、ネットワークノード１０２は、着呼側端末装置１０３が信号を受信しない状態の間に発呼側端末装置１０４からの着呼があった場合であって、その着呼側端末装置１０３に対応する代替用の連絡先が存在する場合、その代替用の連絡先に着呼があったことを通知してもよい。また、ネットワークノード１０２は、着呼側端末装置１０３が信号を受信しない状態の間に発呼側端末装置１０４からの着呼があった場合であって、その着呼側端末装置１０３に対応する代替用の連絡先が存在する場合、その代替用の連絡先へのリダイレクトを行ってもよい。なお、ネットワークノード１０２は、このようなリダイレクトを行った場合、発呼側端末装置１０４に対して、リダイレクトを行ったことを示す情報を上述の通知と共に（通知に含めて）送信してもよい。これにより、発呼側端末装置１０４のユーザは、意図せずにリダイレクトされた場合に、発呼を中止することができる。
【００２１】
また、ネットワークノード１０２は、発呼側端末装置１０４が、着呼側端末装置１０３に対して定期的に呼び出しを実行している場合に、その定期的な呼び出しの停止を要求するための停止要求信号を、発呼側端末装置１０４へ送信しうる。これにより、着呼側端末装置１０３が信号を受信しない状態において、その着呼側端末装置１０３に対する発呼が頻発することによるネットワークの負荷を低減することができる。
【００２２】
（装置構成）
続いて、ネットワークノード１０２の装置構成例について説明する。図２は、ネットワークノード１０２のハードウェア構成例を示す図である。ネットワークノード１０２は、一例において、プロセッサ２０１、ＲＯＭ２０２、ＲＡＭ２０３、記憶装置２０４、及び通信回路２０５を含んで構成される。プロセッサ２０１は、汎用のＣＰＵ（中央演算装置）や、ＡＳＩＣ（特定用途向け集積回路）等の、１つ以上の処理回路を含んで構成されるコンピュータであり、ＲＯＭ２０２や記憶装置２０４に記憶されているプログラムを読み出して実行することにより、ネットワークノード１０２の全体の処理や、上述の各処理を実行する。ＲＯＭ２０２は、ネットワークノード１０２が実行する処理に関するプログラムや各種パラメータ等の情報を記憶する読み出し専用メモリである。ＲＡＭ２０３は、プロセッサ２０１がプログラムを実行する際のワークスペースとして機能し、また、一時的な情報を記憶するランダムアクセスメモリである。記憶装置２０４は、例えば着脱可能な外部記憶装置等によって構成される。通信回路２０５は、例えば、有線通信用の回路によって構成される。ネットワークノード１０２は、例えば、基地局装置１０１との有線通信のための通信回路２０５を有しうる。なお、ネットワークノード１０２が基地局装置１０１に内包される場合、ネットワークノード１０２は、例えば、端末装置と無線通信するための通信回路２０５を有しうる。なお、図２では、１つの通信回路２０５が図示されているが、ネットワークノード１０２は、複数の通信回路を有しうる。
【００２３】
図３に、ネットワークノード１０２の機能構成例を示す。ネットワークノード１０２は、一例において、省電力情報管理部３０１、発呼監視部３０２、着呼端末状態判定部３０３、及び省電力状態通知部３０４を含んで構成される。省電力情報管理部３０１は、端末装置が基地局装置１０１を介して信号を受信しない状態へ移行するための設定を行った場合、その端末装置を示す情報（例えば任意の識別子）と、その端末装置が信号を受信しない状態が終了するタイミングに関する情報を取得して、管理する。なお、省電力情報管理部３０１は、さらに、省電力動作を実行する端末装置について代替用の連絡先の情報を管理してもよい。発呼監視部３０２は、発呼が生じたか否かを監視する。発呼監視部３０２は、全ての発呼を監視する。例えば、基地局装置１０１が、発呼があった場合にネットワークノード１０２に通知することで、このような監視が行われる。着呼端末状態判定部３０３は、発呼監視部３０２において発呼があったことが検出された場合に、その呼における着呼側端末装置の情報が省電力情報管理部３０１において管理されているかを判定する。着呼端末状態判定部３０３は、着呼側の端末装置が省電力情報管理部３０１において管理されている場合に、省電力状態通知部３０４へ、その旨を通知する。一方、着呼端末状態判定部３０３は、着呼側の端末装置が省電力情報管理部３０１において管理されていない場合には、そのような通知を行わない。省電力状態通知部３０４は、着呼端末状態判定部３０３からの通知を受けたことに少なくとも基づいて、発呼側の端末装置に対して、着呼側の端末装置が省電力動作を実行中であるために呼び出すことができないことを通知する。これにより、発呼側の端末装置のユーザが着呼側の端末装置の状態を認識できないままに長時間呼び出しが完了するのを待つことを防ぐことができ、ユーザの満足度を向上させることができる。
【００２４】
なお、省電力状態通知部３０４は、省電力情報管理部３０１によって管理されている、着呼側の端末装置が信号を受信しない状態が終了するタイミングの情報を追加情報として、発呼側の端末装置へ通知してもよい。また、省電力状態通知部３０４は、省電力情報管理部３０１によって着呼側の端末装置の代替用の連絡先の情報が管理されている場合は、その情報を追加情報として発呼側の端末装置へ通知してもよい。なお、省電力状態通知部３０４は、これらの追加情報の通知を、上述のような所定の条件を満たす発呼側の端末装置に対してのみ、行うようにしてもよい。このため、省電力状態通知部３０４は、発呼側の端末装置の情報を取得して、その発呼側の端末装置が所定の条件を満たすか否かを判定し、その結果に応じて追加情報を通知するか否かを決定してもよい。なお、省電力状態通知部３０４は、着呼側の端末装置が省電力動作により信号を受信しない状態であることを示す音声と、画面表示と、音楽との少なくともいずれかに関する情報を保持しておき、保持している情報を用いて発呼側の端末装置への通知を行ってもよい。また、省電力状態通知部３０４は、発呼側の端末装置が定期的に着呼側の端末装置を呼び出す場合、上述の通知において、またはその通知に代えて、その定期的な呼び出しの停止要求を、発呼側の端末装置へ送信してもよい。
【００２５】
なお、ネットワークノード１０２は、着呼側の端末装置が信号を受信しない状態である場合に、その代替用の連絡先に呼をリダイレクトしてもよく、この場合、省電力状態通知部３０４は、リダイレクトを行ったことを発呼側の端末装置へ通知してもよい。
【００２６】
また、省電力状態通知部３０４は、着呼端末状態判定部３０３からの通知を受けた場合に、着呼側の端末装置が信号を受信しない状態が終了するタイミングまでの期間が所定値以下である場合には、上述の通知を行わなくてもよい。
【００２７】
（処理の流れ）
最後に、ネットワークノード１０２が実行する処理の流れをまとめる。各ステップにおける詳細な動作については上述の通りであるため、ここでは説明を省略し、概略的な処理の流れのみを説明する。本処理は、例えば、プロセッサ２０１が、ＲＯＭ２０２に記憶されたプログラムを実行することによって実現される。
【００２８】
まず、ネットワークノード１０２は、端末装置が省電力動作を開始する際にその端末装置の情報を取得して管理する（Ｓ４０１）。ここで、端末装置の情報は、端末装置の識別情報や、端末装置が信号を受信しない状態が終了するタイミングの情報、必要に応じて代替用の連絡先の情報を含みうる。一方、ネットワークノード１０２は、呼の発生を監視し、呼の発生を検知した場合（Ｓ４０２）に、その呼の着呼側の端末装置の情報が（省電力動作を行う端末装置として）管理されているか否かを判定する（Ｓ４０３）。なお、ネットワークノード１０２は、着呼側の端末装置の情報が管理されている場合に、その端末装置が実際に信号を受信しない状態となっているかを判定する。そして、ネットワークノード１０２は、着呼側の端末装置の情報が管理されており、その時点において信号を受信しない状態である場合（Ｓ４０３でＹＥＳ）に、その着呼側の端末装置が省電力動作によって信号を受信しない状態であり、呼び出すことができないことを通知する（Ｓ４０４）。この通知には、上述のような追加情報が含められてもよい。一方、ネットワークノード１０２は、着呼側の端末装置の情報が管理されていない場合（Ｓ４０３でＮＯ）には、通知を行わずに本処理を終了する。また、例えば着呼側の端末装置が信号を受信しない状態が終了するタイミングによっては、Ｓ４０４の通知をせずに処理を終了してもよい。
【００２９】
以上の処理により、発呼側の端末装置のユーザは、着呼側の端末装置が省電力動作によって信号を受信しない状態であることによって呼び出すことができない状態であることを認識することができる。このため、理由の提示なく呼び出しができないことが通知される場合と比して、ユーザの不満を軽減することができる。また、着呼側の端末装置が信号を受信しない状態が終了するタイミングが通知されることにより、ユーザは、どのタイミングで発信しなおせばよいかを認識することができる。また、代替用の連絡先がユーザに通知されることにより、ユーザが着呼側の端末装置のユーザと連絡をとることが容易になる。以上のように、本実施形態の処理により、着呼側の端末装置が長期間にわたって信号を受信することができない状態となりうる無線通信システムにおいて、ユーザの不満を軽減し、システムを円滑に運用することができるようになる。
【図１】
2020036114.tif 000003
【図２】
2020036114.tif 000004
【図３】
2020036114.tif 000005
【図４】
2020036114.tif 000006